(57)【要約】【課題】従来よりも着脱作業が容易な蓋を提供すること。【解決手段】水回り用の部材１に設けられた開口２に着脱可能に取り付けられる蓋１００であって、前面１１と背面１２とを有する蓋本体１０と、蓋本体１０の背面１２に設けられ、開口２の縁部３と係合する係合部２０と、蓋本体１０の前面１１に設けられた把持部３０と、を備えている。【選択図】図１
2018143546.tif 000002
【特許請求の範囲】
【請求項１】
水回り用の部材に設けられた開口に着脱可能に取り付けられる蓋であって、
前面と背面とを有する蓋本体と、
前記蓋本体の前記背面に設けられ、前記開口の縁部と係合する係合部と、
前記蓋本体の前記前面に設けられた把持部と、を備えた
ことを特徴とする蓋。
【請求項２】
前記係合部は、前記蓋本体の前記背面に一体的に設けられており、
前記把持部は、前記蓋本体の前記前面に一体的に設けられている
ことを特徴とする請求項１に記載の蓋。
【請求項３】
前記係合部は、複数の係合爪により構成されている
ことを特徴とする請求項１または２に記載の蓋。
【請求項４】
前記複数の係合爪のうち少なくとも１つの係合爪は、前記開口の第１縁部に対応する位置に配置されており、
前記把持部は、前記少なくとも１つの係合爪に対して前記蓋本体の外周側に設けられている
ことを特徴とする請求項３に記載の蓋。
【請求項５】
前記複数の係合爪のうち一部の係合爪は、前記開口の前記第１縁部に対向する第２縁部に対応する位置に、配置されている
ことを特徴とする請求項４に記載の蓋。
【請求項６】
前記蓋本体の前記前面には、前記少なくとも１つの係合爪に対して前記蓋本体の内周側に、前記開口の前記第１縁部に対応する方向に延在する凹部が形成されている
ことを特徴とする請求項４または５に記載の蓋。
【請求項７】
前記蓋本体の前記背面には、前記開口の縁部に対応する位置にシール部が設けられている
ことを特徴とする請求項１乃至６のいずれか一項に記載の蓋。
【発明の詳細な説明】
【技術分野】
【０００１】
本発明は、水回り用の部材に設けられた開口に着脱可能に取り付けられる蓋に関する。
【背景技術】
【０００２】
従来、浴室内に設けられた点検口などの開口に着脱可能に取り付けられ、当該開口を閉鎖する蓋として、例えば引用文献１に記載された蓋が知られている。引用文献１に記載された蓋は、矩形の板状部材であり、浴槽に固定される部材（アングル）により形成される点検口に対して、複数のネジによるネジ留めによって取り付けられるようになっている。
【０００３】
このような蓋においては、それぞれのネジが取り付けられる位置のすべてにシール材を設ける必要があるため、部品点数が多くなり、製造コストが高くなるという問題がある。また、点検口を介して点検を行うためには、作業者が当該点検口から蓋を取り外すことになるが、このとき、ドライバ等の工具によって全てのネジを緩める必要がある。更に、点検が完了した後には、再び点検口に蓋を取り付けるために全てのネジを締める必要がある。このため、従来の蓋は着脱の作業コストが高い、という問題もある。これらの問題は、ネジに代えて例えば樹脂製の留め具によって点検口に取り付けられるタイプの蓋においても、同様である。
【先行技術文献】
【特許文献】
【０００４】
【特許文献１】特開２００４−２１５９３３号公報
【発明の概要】
【発明が解決しようとする課題】
【０００５】
本発明は、以上の状況に鑑みて創案されたものである。すなわち、本発明の目的は、着脱作業が容易な蓋を提供することである。
【課題を解決するための手段】
【０００６】
本発明は、水回り用の部材に設けられた開口に着脱可能に取り付けられる蓋であって、
前面と背面とを有する蓋本体と、
前記蓋本体の前記背面に設けられ、前記開口の縁部と係合する係合部と、
前記蓋本体の前記前面に設けられた把持部と、を備えている。
【０００７】
本発明によれば、係合部が蓋本体に設けられていることにより、従来よりも着脱作業が容易な蓋を提供することができる。
【０００８】
前記係合部は、前記蓋本体の前記背面に一体的に設けられており、
前記把持部は、前記蓋本体の前記前面に一体的に設けられていて良い。
【０００９】
この場合、構成部品の点数が少ない蓋を提供することができる。
【００１０】
以上のような蓋において、前記係合部は、複数の係合爪により構成されていて良い。この場合、点検口に蓋をしっかりと取り付けることができる。
【００１１】
前記複数の係合爪のうち少なくとも１つの係合爪は、前記開口の第１縁部に対応する位置に配置されており、
前記把持部は、前記少なくとも１つの係合爪に対して前記蓋本体の外周側に設けられていて良い。
【００１２】
この場合、把持部に加えられた力が少なくとも１つの係合爪に効果的に伝達されることになるため、蓋を点検口から取り外す際の作業が容易である。
【００１３】
前記複数の係合爪のうち一部の係合爪は、前記開口の前記第１縁部に対向する第２縁部に対応する位置に、配置されていて良い。この場合、蓋本体を点検口によりしっかりと取り付けることができる。
【００１４】
前記蓋本体の前記前面には、前記少なくとも１つの係合爪に対して前記蓋本体の内周側に、前記開口の前記第１縁部に対応する方向に延在する凹部が形成されていて良い。この場合、凹部が撓むことによって、把持部に加えられた力が係合爪を効果的に変位させることになるため、蓋を点検口から取り外す際の作業が一層容易である。
【００１５】
前記蓋本体の前記背面には、前記開口の縁部に対応する位置にシール部が設けられていて良い。この場合、点検口内部への液体（特には、水や湯）の侵入を防止することができる。
【発明の効果】
【００１６】
係合部が蓋本体に設けられていることにより、従来よりも着脱作業が容易な蓋を提供することができる。
【図面の簡単な説明】
【００１７】
【図１】本発明の一実施の形態による蓋を示す正面側の概略斜視図である。
【図２】図１の蓋を示す背面側の概略斜視図である。
【図３】図１の蓋が取り付けられる点検口を示す概略正面図である。
【図４】図１の蓋を示す概略正面図である。
【図５】図１の蓋を示す概略背面図である。
【図６】図１の蓋を示す概略上面図である。
【図７】図１の蓋を示す概略底面図である。
【図８】図１の蓋を示す概略側面図である。
【図９】図５のＡ−Ａ線断面図である。
【図１０】図５のＢ−Ｂ線断面図である。
【発明を実施するための形態】
【００１８】
以下に、添付の図面を参照して、本発明の一実施の形態を詳細に説明する。
【００１９】
図１は、本発明の一実施の形態による蓋１００を示す正面側の概略斜視図であり、図２は、図１の蓋１００を示す背面側の概略斜視図である。また、図３は、図１の蓋１００が取り付けられる点検口２を示す概略正面図である。
【００２０】
本実施の形態の蓋１００は、図３に示すような浴室の点検口２などの、水回り用の部材１に設けられた開口に、着脱可能に取り付けられるものである。図１及び図２に示すように、蓋１００は、前面１１と背面１２とを有する蓋本体１０と、蓋本体１０の背面１２に一体的に設けられ、水回り用の部材１に設けられた点検口２の縁部３と係合する係合部としての係合爪２０と、蓋本体１０の前面１１に一体的に設けられた把持部３０と、を備えている。このような蓋１００は、係合爪２０が設けられている背面１２が点検口２の内部に面し、把持部３０が設けられた前面１１が手前側に面する向きで、点検口２に取り付けられることになる。
【００２１】
次に、図４〜図１０を参照して、本実施の形態による蓋１００について、より詳細に説明する。図４は蓋１００の概略正面図であり、図５は蓋１００の概略背面図であり、図６は蓋１００の概略上面図であり、図７は蓋１００の概略底面図であり、図８は蓋１００の概略側面図であり、図９は図５のＡ−Ａ線断面図であり、図１０は、図５のＢ−Ｂ線断面図である。
【００２２】
図４及び図５に示すように、蓋１００は、全体として、角部が丸められた矩形の形状を有している。ここでは、説明の便宜上、図４に示すように、蓋１００の中央を原点ＯとするＸＹＺ三次元直交座標系を定義する。この座標系では、原点Ｏを通り、図４における左から右に向かう軸線がＸ軸であり、下から上に向かう軸線がＹ軸であり、奥から手前に向かう軸線がＺ軸である。更に、本明細書では、Ｙ軸正方向を上方向と呼び、Ｙ軸負方向を下方向と呼ぶことにする。
【００２３】
このような座標系に基づけば、蓋１００は、全体として、Ｘ軸及びＹ軸に関して対称的な矩形の形状を有している。そして、この矩形の４辺に対応する縁部のうち、上縁部１３及び下縁部１４がＸ軸と平行に延在しており、Ｙ軸を挟んで配置された残り一対の（左右の）縁部がＹ軸と平行に延在している。蓋１００は、Ｚ軸方向から見て、取付対象の点検口２の輪郭よりも若干大きな輪郭を有しており、点検口２に取り付けられた際に当該点検口２を完全に閉鎖し得るようになっている。
【００２４】
図４、図９及び図１０に示すように、蓋本体１０の前面１１には、上縁部１３及び下縁部１４の近傍に、Ｘ軸と平行な方向に延在する第１凹部４１及び第２凹部４２がそれぞれ設けられている。図９に示すように、これらの凹部４１、４２は、蓋本体１０を構成するパネル状の部材が背面側（図９における左側）に向かってコ字状に折り曲げられることにより形成されている。具体的には、図９に示すように、上縁部１３の近傍に形成された第１凹部４１は、３つの壁によって構成されている。すなわち、第１凹部４１は、上方に位置しＸＺ平面と平行な第１上方壁４１ｕと、下方に位置し、第１上方壁４１ｕに対向する第１下方壁４１ｄと、第１上方壁４１ｕ及び第１下方壁４１ｄのＺ軸負側の端部同士を接続する、ＹＸ平面と平行な第１底部壁４１ｂと、によって構成されている。第２凹部４２も、略同様の構成を有している。すなわち、図９に示すように、第２凹部４２は、下縁部１４の近傍に形成されており、上方に位置しＸＺ平面と平行な第２上方壁４２ｕと、下方に位置し、第２上方壁４２ｕに対向する、ＸＺ平面と平行な第２下方壁４２ｄと、第２上方壁４２ｕ及び第２下方壁４２ｄのＺ軸負側の端部同士を接続する、ＸＹ平面と平行な第２底部壁４２ｂと、によって構成されている。これらの凹部４１、４２は、ＹＺ平面と平行な平面で切断したときの断面形状（図９参照）が、当該凹部４１、４２の長さ全体に亘って（Ｘ座標によらず）略一定となっている。
【００２５】
図９及び図１０に示すように、本実施の形態の各壁４１ｕ、４１ｂ、４１ｄ、４２ｕ、４２ｂ、４２ｄは、いずれも樹脂板から構成されているため、ある程度の撓み変形が許容されている。特に、後述されるように、第２下方壁４２ｄは、把持部３０に作用した力によって、蓋１００を点検口２に着脱する際に、撓み変形を生じることになる。
【００２６】
一方、図２及び図４に示すように、蓋本体１０の背面１２において、Ｙ軸と平行な一対の縁部（図２及び図４における左右方向の縁部）の近傍には、蓋本体１０の機械的強度を向上させるための２つの構造体１７、１８が設けられている。具体的には、一方の構造体１７は、前記一対の縁部のうちＸ軸正側（図２及び図４における左側）の縁部近傍に設けられており、背面１２からＺ軸負方向に立ち上がり、Ｙ軸方向に延在する一対の平行板１７ｐと、この一対の平行板１７ｐによって挟まれた空間をＸ軸方向に連結する複数のリブ１７ｒと、を有している。他方の構造体１８は、前記一対の縁部のうちＸ軸負側（図２及び図４における右側）の縁部近傍に設けられており、背面１２からＺ軸負方向に立ち上がり、Ｙ軸方向に延在する一対の平行板１８ｐと、この一対の平行板１８によって挟まれた空間をＸ軸方向に連結する複数のリブ１８ｒと、を有している。各リブ１７ｒ、１８ｒは、Ｙ軸方向に沿って、それぞれ等間隔に配置されている。
【００２７】
次に、蓋本体１０の背面１２に設けられた係合爪２０について説明する。係合爪２０は、点検口２の縁部に係合することによって、蓋１００が当該点検口２に取り付けられた状態を維持できるようにするためのものである。図５に戻って、係合爪２０は、蓋本体１０の上縁部１３の近傍及び下縁部１４の近傍に、合計５つ設けられている。具体的には、３つの係合爪２０ｕが、第１凹部４１の第１上方壁４１ｕの上面において、蓋本体１０の上縁部１３の近傍にＸ軸と平行な方向に沿って略等間隔で設けられており、残り２つの係合爪２０ｕが、第２凹部４２の第２下方壁４２ｄの下面において、蓋本体１０の下縁部１４の近傍にＸ軸と平行な方向に沿って一定の間隔を空けて設けられている。より具体的には、図５に示すように、３つの係合爪２０ｕは、中央の係合爪２０ｕがＹ軸上に配置されており、その両隣の係合爪２０ｄがＹ軸から共に等間隔であるように配置されており、２つの係合爪２０ｄは、Ｙ軸から共に等間隔であるように配置されている。結局、蓋本体１０の上縁部１３の近傍に設けられた３つの係合爪２０ｕ、及び、蓋本体１０の下縁部１４の近傍に設けられた２つの係合爪２０ｄは、それぞれＹ軸対象に配置されている。もちろん、係合爪２０の配置は、以上のような態様には限定されない。係合爪２０は、点検口２に係合するものであるため、その数及び位置は、当該点検口２の形状や寸法に応じて適宜決定されることになる。
【００２８】
本実施の係合爪２０の形状は、次のようになっている。すなわち、図９及び図１０に示すように、第１凹部４１の第１上方壁４１ｕの上面に設けられた３つの係合爪２０ｕは、いずれも、第１上方壁４１ｕからＹ軸正方向に向かって略垂直に立ち上がる係合面２０ｕ１と、Ｚ軸負側において係合面２０ｕ１の上端部から第１上方壁４１ｕまで下るテーパ部２０ｕ２と、を有している。他方、第２凹部４２の第２下方壁４２ｄの下面に設けられた２つの係合爪２０ｄは、いずれも、第２下方壁４２ｄからＹ軸負方向に向かって略垂直に立ち上がる係合面２０ｄ１と、Ｚ軸負側において係合面２０ｄ１から第２下方壁４２ｄまで上るテーパ部２０ｄ２と、を有している。別言すれば、各係合爪２０（２０ｕ、２０ｄ）は、ＸＹ平面と平行な係合面２０ｕ１、２０ｄ１と、Ｘ軸方向から見て第１上方壁４１ｕないし第２下方壁４２ｄに対して鋭角をなし、各係合面２０ｕ１、２０ｄ１の先端に至るテーパ部２０ｕ２、２０ｄ２と、を有している。
【００２９】
更に、第１凹部４１の第１上方壁４１ｕの上面に設けられた３つの係合爪２０ｕの上端から第２凹部４２の第２下方壁４２ｄの下面に設けられた２つの係合爪２０ｄの下端までの距離（Ｙ軸方向の距離）ｄ１（図８参照）は、取付対象の点検口２の上縁部３ａと下縁部３ｂとの離間距離Ｄ（図３参照）よりも僅かに大きくなっている。その一方、３つの係合爪２０ｕの付け根部分、すなわち第１凹部４１の第１上方壁４１ｕの上面から、２つの係合爪２０ｄの付け根部分、すなわち第２凹部４２の第２下方壁４２ｄの下面まで、の距離（Ｙ軸方向の距離）ｄ２（図８参照）は、前記離間距離Ｄよりも僅かに小さくなっている。
【００３０】
蓋本体１０の前面１１に設けられた把持部３０は、Ｘ軸方向に沿って所定の長さを有し、第２凹部４２の第２下方壁４２ｄのすぐ下方に蓋本体１０と一体に設けられている。具体的には、図１０に示すように、把持部３０は、蓋本体１０の前面１１からＺ軸正方向に向かって突出したコ字状の断面形状を有しており、上方の壁部３１ｕが第２凹部４２の第２下方壁４２ｄとひと続きになるように、形成されている。このことによって、把持部３０に加えられた力が、第２凹部４２の第２下方壁４２ｄに直接的に伝達されるようになっている。
【００３１】
更に、図２、図５、図９及び図１０に示すように、蓋本体１０の背面１２には、その周縁部の近傍にシール部５０が設けられている。シール部５０は、蓋１００が点検口２に取り付けられた際に、当該点検口２の縁部領域３ｅと液密に密着することによって、液体（特には、水や湯）が点検口２の内部に侵入することを防止するためのものである。点検口２の縁部領域３ｅとは、図３における手前側の領域であって、縁部３及び当該縁部３の若干の外周領域を含む、ある程度の幅をもった領域を意味している（図３参照）。シール部５０の材質としては、例えばゴムが好適に用いられるが、これには限定されず、点検口２の縁部領域３ｅと液密に密着可能な材料であれば良い。
【００３２】
図５に示すように、蓋本体１０の周縁部の近傍には、シール部５０を取り付けるための取付面１５が、当該周縁部の全周に亘って途切れることなく設けられている。本実施の形態の取付面１５は、ＸＹ平面と平行な平坦面として構成されている。そして、この取付面１５に対して、粘着剤によって帯状のシール材が貼付されている。もちろん、例えば二色成形によって、シール部５０を蓋本体１０と一体的に形成しても良い。
【００３３】
更に、図４〜図１０に示すように、蓋本体１０は、周縁部に第２シール部１６を有している。この第２シール部１６は、シール部５０の外周において点検口２の縁部領域３ｅに密着することによって、液体（特には、水や湯）がシール部５０まで到達しにくくするためのものである。図９及び図１０に示すように、蓋本体１０の下縁部１４に形成された第２シール部１６は、シール部５０の下方の部位から、Ｙ軸負方向及びＺ軸負方向の成分を有する方向（図９及び図１０における左下方向）に傾斜して延び出ている。他方、図９に示すように、蓋本体１０の上縁部１３に形成された第２シール部１６は、シール部５０の上方の部位から、Ｙ軸正負方向及びＺ軸負方向の成分を有する方向（図９における左上方向）に傾斜して延び出ている。第２シール部１６の先端１６ｔは、シール部５０よりもＺ軸負側に位置している。第２シール部１６は、Ｙ軸を挟んで対向する一対の縁部にも同じように設けられている。すなわち、シール部５０の外周から、原点から離れる方向の成分及びＺ軸負方向の成分を有する方向に傾斜して延び出ており、その先端１６ｔが、シール部５０よりもＺ軸負側に位置している。第２シール部１６は、蓋本体１０と同じ樹脂材料で構成されているが、その厚みが比較的容易に撓み変形することができる程度に薄く形成されていることにより、適度な弾性を有している。
【００３４】
更に、図１、図２、図４、図５及び図７に示すように、第２シール部１６は、Ｚ軸方向から見て、負のＹ軸と重なる領域に、切り欠き１６ｎが設けられている。この切り欠き１６ｎは、第２シール部１６の内面（背面１２側の面）と点検口２の縁部領域３ｅとの間に形成される空間に侵入した液体を外部に排出するためのものである。図４及び図５に示すように、本実施の形態の切り欠き１６ｎは、半円状の形状を有している。
【００３５】
次に、以上のような本実施の形態による蓋１００の作用について説明する。
【００３６】
蓋１００は、把持部３０が下方に位置し、前面１１が手前側に面するように（図４に示すように）姿勢が整えられた後、その状態で点検口２に圧入される。圧入の際、第１凹部４１の第１上方壁４１ｕの上面に設けられた３つの係合爪２０ｕのテーパ部２０ｕ２、及び、第２凹部４２の第２下方壁４２ｄの下面に設けられた２つの係合爪２０ｄのテーパ部２０ｄ２が、点検口２の上縁部３ａ及び下縁部３ｂにそれぞれ干渉する。このとき、より大きな力で蓋１００を点検口２に押圧することによって、点検口２の上縁部３ａ及び下縁部３ｂが各係合爪２０ｕ、２０ｄのテーパ部２０ｕ２、２０ｄ２に乗り上げ、これに伴って、第１上方壁４１ｕが下方に、第２下方壁４２ｄが上方に、それぞれ撓み変形する。そして、蓋１００を点検口２に更に強く押し当てることによって、点検口２の上縁部３ａ及び下縁部３ｂが各係合爪２０ｕ、２０ｄの先端を乗り越える。これにより、各係合爪２０ｕ、２０ｄが点検口２の縁部３（３ａ、３ｂ）に係合し、蓋１００が点検口２に取り付けられる。蓋本体１０は、構造体１７、１８の存在によって機械的強度が向上されているため、この取り付けの過程において大きな変形が生じたり破損してしまったりすることは無い。
【００３７】
このような蓋１００の取り付けの際、シール部５０は、点検口２の縁部領域３ｅに押し当てられることになり、当該点検口２を外部から液密に密封する。更に、このとき、第２シール部１６の先端１６ｔを含む領域がシール部５０の外周において点検口２の縁部領域３ｅに押し当てられる。これにより、第２シール部１６は、適度に撓み変形しつつ点検口２の縁部領域３ｅに密着する。これらのことにより、点検口２は、２つのシール部５０、１６によって二重に密封される。なお、第２シール部１６の内面（背面１２側の面）と点検口２の縁部領域３ｅとの間に形成される空間に液体（特には、水または湯）が侵入する場合もあり得るが、侵入した液体は、第２シール部１６に設けられた切り欠き１６ｎを介して、スムーズに外部に排出される。このことにより、点検口２の縁部領域３ｅが不衛生になってしまうことが回避される。
【００３８】
一方、蓋１００を点検口２から取り外すときには、作業者は、把持部３０を手前側（図４における手前側）に引っ張ればよい。このとき、把持部３０を引っ張る力が第２凹部４２の第２下方壁４２ｄに伝達され、これにより、当該第２下方壁４２ｄが上方に撓み変形する。この撓み変形に伴って、第２下方壁４２ｄの下面に設けられた２つの係合爪２０ｄが、上方に変位する。これにより、２つの係合爪２０ｄの下端が点検口２の下縁部３ｂを引っ張り方向（図３における手前方向）に乗り越え、２つの係合爪２０ｄと点検口２の下縁部３ｂとの係合が解除される。その後、作業者により、蓋１００が下方に引き下ろされ、容易に第１凹部４１の第１上方壁４１ｕの上面に設けられた３つの係合爪２０ｕと点検口２の上縁部３ａとの係合が解除される。
【００３９】
そして、点検口を介した所定の点検が完了した後には、前述した取付手順に従って蓋１００を点検口２に取り付ければよい。これにより、再び点検口２が蓋１００によって閉鎖される。
【００４０】
以上のような蓋１００によれば、蓋本体１０と係合爪２０とが一体的に設けられているため、従来よりも部品点数が少なく、且つ、着脱作業が容易な蓋を提供することができる。
【００４１】
また蓋本体１０には複数の係合爪２０（２０ｕ、２０ｄ）が設けられているため、蓋１００を点検口２にしっかりと取り付けることができる。
【００４２】
蓋本体１０には、下縁部１４の近傍に２つの係合爪２０ｄが配置されており、把持部３０がこれら２つの係合爪２０ｄの下方に設けられている。これにより、把持部３０に加えられた力が２つの係合爪２０ｄに効果的に伝達されるため、蓋１００を点検口２から取り外す際の作業が容易である。
【００４３】
更に、３つの係合爪２０ｕが蓋本体１０の上縁部１３の近傍に、すなわち点検口２の上縁部３ａに対応する位置に、配置されている。このため、蓋１００を点検口によりしっかりと取り付けることができる。
【００４４】
蓋本体１０の前面１１には、２つの係合爪２０ｄよりも上方に、それらの係合爪２０ｄの配置方向（Ｘ軸方向）に沿って延在する凹部４２が形成されている。このため、凹部４２が撓むことによって、把持部３０に加えられた力が各係合爪２０ｄを効果的に変位させることになるため、蓋１００を点検口２から取り外す際の作業が一層容易である。
【００４５】
また、蓋本体１０の背面１２には、点検口２の縁部３に対応する位置にシール部５０が設けられている。このため、点検口２の内部への液体の侵入を防止することができる。
【００４６】
なお、以上の説明においては、係合爪２０が蓋本体１０の背面１２に一体的に設けられている例について説明を行ったが、このような態様には限定されない。例えば、他の実施の形態では、係合爪２０に代えて適宜の係合部材を蓋本体と別体にて複数成形し、これらの係合部材を蓋本体に組み付けることにより、蓋を構成しても良い。この場合、各係合部材は、蓋本体が点検口２に取り付けられる際に、個別的に点検口２の縁部に係合させられる必要が無いように構成されることになる。
【符号の説明】
【００４７】
１  水回り用の部材
２  点検口
３  縁部
３ａ  上縁部
３ｂ  下縁部
３ｅ  縁部領域
１０  蓋本体
１１  前面
１２  背面
１３  上縁部
１４  下縁部
１５  取付面
１６  第２シール部
１６ｔ  先端
１７、１８  構造体
１７ｐ、１８ｐ  平行板
１７ｒ、１８ｒ  リブ
２０、２０ｄ、２０ｕ  係合爪
２０ｄ１、２０ｕ１  係合面
２０ｄ２、２０ｕ２  テーパ部
３０  把持部
３１ｕ  上方の壁部
４１  第１凹部
４１ｂ  第１底部壁
４１ｄ  第１下方壁
４１ｕ  第１上方壁
４２  第２凹部
４２ｂ  第２底部壁
４２ｄ  第２下方壁
４２ｕ  第２上方壁
５０  シール部
１００  蓋
【図１】
2018143546.tif 000003
【図２】
2018143546.tif 000004
【図３】
2018143546.tif 000005
【図４】
2018143546.tif 000006
【図５】
2018143546.tif 000007
【図６】
2018143546.tif 000008
【図７】
2018143546.tif 000009
【図８】
2018143546.tif 000010
【図９】
2018143546.tif 000011
【図１０】
2018143546.tif 000012